(57)【特許請求の範囲】
【請求項１】
複数の通信機器から構成される通信機器システムにおいて、夫々の通信機器は、
自機器の機器固有情報を他の機器に送信する送信手段と、
他機器の機器固有情報を受信する受信手段と、
前記自機器の機器固有情報と前記他機器の機器固有情報とを記憶する記憶手段と、
前記記憶手段に記憶した機器固有情報を参照して、自機器が前記通信機器システムを制御するコントローラになるのか、制御されるデバイスになるのかを判断する判断手段と、
前記他機器の機器固有情報の変更を、前記受信手段を介して受信した場合、変更された前記他機器の機器固有情報を参照し、前記判断手段により、自機器が前記通信機器システムを制御するコントローラになるのか、制御されるデバイスになるのかを判断し、自機器の機器固有情報を更新する更新手段とを備え、
更新した自機器の機器固有情報を、前記送信手段を介して他機器へ送信し、
前記機器固有情報は、固有識別情報、及び機器種別情報、及びデータ送受信の優先度情報、及び機器の制御権情報、及び自機器を制御するために必要な制御情報であること
を特徴とする通信機器システム。
【請求項２】
通信手段を有する通信機器において、
自機器の機器固有情報を他の機器に送信する送信手段と、他機器の機器固有情報を受信する受信手段と、
前記自機器の機器固有情報と前記他機器の機器固有情報とを記憶する記憶手段と、
前記記憶手段に記憶した機器固有情報を参照して、自機器が前記通信機器システムを制御するコントローラになるのか、制御されるデバイスになるのかを判断する判断手段と、
前記他機器の機器固有情報の変更を前記受信手段を介して受信した場合、変更された前記他機器の機器固有情報を参照し、前記判断手段により、自機器が前記通信機器システムを制御するコントローラになるのか、制御されるデバイスになるのかを判断し、自機器の機器固有情報を更新する更新手段とを備え、
更新した自機器の機器固有情報を、前記送信手段を介して他機器へ送信し、
前記機器固有情報は、固有識別情報、及び機器種別情報、及びデータ送受信の優先度情報、及び機器の制御権情報、及び自機器を制御するために必要な制御情報である
ことを特徴とする通信機器。
【請求項３】
複数の通信機器から構成される通信機器システムの通信制御方法であって、
自機器の機器固有情報を他の機器に送信し、
他機器の機器固有情報を受信し、
前記自機器の機器固有情報と前記他機器の機器固有情報とを記憶し、
前記記憶手段に記憶した機器固有情報を参照して、自機器が前記通信機器システムを制御するコントローラになるのか、制御されるデバイスになるのかを判断し、
前記他機器の機器固有情報の変更を、前記受信手段を介して受信した場合、変更された前記他機器の機器固有情報を参照し、
自機器が前記通信機器システムを制御するコントローラになるのか、制御されるデバイス
になるのかを判断し、
自機器の機器固有情報を更新し、
更新した自機器の機器固有情報を、前記送信手段を介して他機器へ送信し、
前記機器固有情報は、固有識別情報、及び機器種別情報、及びデータ送受信の優先度情報、及び機器の制御権情報、及び自機器を制御するために必要な制御情報である
ことを特徴とする通信制御方法。
【発明の詳細な説明】
【０００１】
【発明の属する技術分野】
本発明は、通信手段を利用してシステムを構成する通信機器システム及び通信機器に関する。
【０００２】
【従来の技術】
近年、コンピュータ等の情報処理機器は様々な機能を有するものが増えてきている。例えば、オーディオの再生や、ビデオの再生や撮像等を行なうことが可能な情報処理機器である。このような情報処理機器は、ユーザが特定の機能のみを使用することを望んでも、情報処理機器内部でハードウェア的に一体化して設計されている。このため、個々の機能のみを分離して利用することが難しくなっており、複数の機能を有する情報処理機器は、大型になってしまい携帯性に優れない。また、様々な機能が付加されているため高価になる傾向がある。
【０００３】
【発明が解決しようとする課題】
上記情報処理機器内部では、各デバイスの接続は情報処理機器内部のバスにより物理的に接続されている。このため、あるデバイスから別のデバイスにデータを転送する際には、バス及びブリッジ装置を介して行われ、デバイス間で直接データの送受信を行うことは少ない。また、情報処理機器に複数の周辺機器を接続し、この周辺機器間で情報の転送を行いたい場合でも、かならず情報処理機器が起動していなければならず、周辺機器のみでの情報の伝送ができないという問題がある。
【０００４】
また、各機能別に情報機器を購入した場合、各機器の制御や機器間を連携して制御したり、データ転送等を一括して制御することが難しくトータルなシステムとして見た場合、利便性は必ずしも良くないといった問題があった。
【０００５】
本発明は上記課題を解決するためになされたものであり、通信手段によりデータの送受信を行うことが可能な通信装置により構成されるシステムにおいて、各装置の情報を送受信し判断することにより、システム全体を制御する装置を動的に割り当てることを可能とする情報通信システムを提供する。
【０００６】
【課題を解決するための手段】
上記目的を達成するために、請求項１に係る発明では、複数の通信機器から構成される通信機器システムにおいて、夫々の通信機器は、自機器の機器固有情報を他の機器に送信する送信手段と、他機器の機器固有情報を受信する受信手段と、自機器の機器固有情報と他機器の機器固有情報とを記憶する記憶手段と、記憶手段に記憶した機器固有情報を参照して、自機器が通信機器システムを制御するコントローラになるのか、制御されるデバイスになるのかを判断する判断手段と、他機器の機器固有情報の変更を、受信手段を介して受信した場合、変更された他機器の機器固有情報を参照し、判断手段により、自機器が通信機器システムを制御するコントローラになるのか、制御されるデバイスになるのかを判断し、自機器の機器固有情報を更新する更新手段と、更新した自機器の機器固有情報を、送信手段を介して他機器へ送信することを特徴とする。
【０００７】
このような構成により、通信手段を介してデータの送受信を行なうことが可能な装置間で効率よくデータ転送を行なうことが可能であり、システム全体の制御を司る装置が通信不可能状態になった場合でも、それまでに取得している他装置の情報を参照して、システム全体の制御を行なう装置を決定し、システムの制御を行なうことが可能である。また、このことにより、容易にシステムの拡張、縮小が可能となる。
【０００８】
また、請求項３に係る発明では、通信手段を有する通信機器において、自機器の機器固有情報を他の機器に送信する送信手段と、他機器の機器固有情報を受信する受信手段と、自機器の機器固有情報と他機器の機器固有情報とを記憶する記憶手段と、記憶手段に記憶した機器固有情報を参照して、自機器が通信機器システムを制御するコントローラになるのか、制御されるデバイスになるのかを判断する判断手段と、他機器の機器固有情報の変更を受信手段を介して受信した場合、変更された他機器の機器固有情報を参照し、判断手段により、自機器が通信機器システムを制御するコントローラになるのか、制御されるデバイスになるのかを判断し、自機器の機器固有情報を更新する更新手段と、更新した自機器の機器固有情報を、送信手段を介して他機器へ送信することを特徴とする。
【０００９】
このような構成により、通信手段を介して他通信機器との間でデータの送受信を行なうことが可能であり、他機器の機器情報を取得し、他機器の制御をすることも可能である。また、この通信機器を利用したシステムを構成すると、システムを構成する機器によって、システムの制御を行なう機器を任意に決定することが可能であり、容易にシステムの拡張、縮小が可能となる通信機器を提供可能である。
【００１０】
また、請求項５に係る発明では、複数の通信機器から構成される通信機器システムの通信制御方法であって、自機器の機器固有情報を他の機器に送信し、他機器の機器固有情報を受信し、自機器の機器固有情報と他機器の機器固有情報とを記憶し、記憶手段に記憶した機器固有情報を参照して、自機器が通信機器システムを制御するコントローラになるのか、制御されるデバイスになるのかを判断し、他機器の機器固有情報の変更を、受信手段を介して受信した場合、変更された他機器の機器固有情報を参照し、自機器が通信機器システムを制御するコントローラになるのか、制御されるデバイスになるのかを判断し、自機器の機器固有情報を更新し、更新した自機器の機器固有情報を、送信手段を介して他機器へ送信することを特徴とする。
【００１１】
このような構成により、通信手段を介してデータの送受信を行なうことが可能な装置間で効率よくデータ転送を行なうことが可能であり、システム全体の制御を司る装置が通信不可能状態になった場合でも、それまでに取得している他装置の情報を参照して、システム全体の制御を行なう装置を決定し、システムの制御を行なうことが可能である。また、このことにより、容易にシステムの拡張、縮小が可能な通信制御方法を提供可能である。
【００１２】
【発明の実施の形態】
以下本発明に係る実施の形態を、図面を参照して説明する。
【００１３】
図１に本発明の第１の実施形態としてシステム構成の概要図を示す。
【００１４】
本システムは、コントローラ装置２と、オーディオ装置３と、記憶装置４と、画像表示装置５と、プリンタ６とが、それぞれの機能を有する機器単体として存在し、これらの機器が無線通信技術を利用してデータの送受信を行うことが可能である。本実施の形態では無線通信によりデータの送受信を行なうが、有線により機器間を接続するシステムでも良い。
【００１５】
このようなシステム構成において、説明を簡便にするため、コントローラ装置２とオーディオ装置３及び記憶装置５とにより構成するシステムを考える。
【００１６】
図２はコントローラ装置のブロック図である。このコントローラ装置２は、無線通信部７とシステム部８とで構成している。無線通信部７は、無線通信のプロトコルを制御する無線通信プロトコルＩ／Ｆ部１１と、無線通信時の物理的インターフェースとなる無線通信Ｉ／Ｆ部１２とから構成している。システム部８は、無線通信プロトコルＩ／Ｆ部１１とのインターフェースとなる機器制御Ｉ／Ｆ１３、コントローラ装置２の内部及びシステム全体の制御を司る機器制御部１４とにより構成している。
【００１７】
無線通信プロトコルＩ／Ｆ部１１は、全システムを構成する装置と無線通信の際に、通信プロトコルを制御する部分であり、機器制御データ及び各種データを機器制御Ｉ／Ｆ１３と送受信する。また、無線通信により他の装置に制御コマンド等を送出するために、物理層である無線通信Ｉ／Ｆ部１２へ転送する。本実施形態の無線通信で使用する周波数帯域は２．４０〜２．５０ＧＨｚである。
【００１８】
無線通信Ｉ／Ｆ部１２は、システム内の各装置との無線通信を行う物理的インターフェースである。
【００１９】
機器制御部Ｉ／Ｆ部１３は、システム内の各装置への各種制御メッセージを無線通信プロトコルＩ／Ｆ部１１との間で送受信を行なうインターフェースである。また、無線通信プロトコルＩ／Ｆ部１１から受信したメッセージを機器制御部１４へ転送する。
【００２０】
機器制御部１４は、コントロール装置２自体の制御を行なう。また、機器制御Ｉ／Ｆ部１３から受信した制御メッセージからシステム全体の構成を把握し、システムを構成する各装置の動作制御を司ることが可能である。なお、システムを構成する機器情報を格納するメモリ（図示せず）も有している。
【００２１】
また、マン・マシンインターフェース（ＭＭＩ）１５はコントローラ装置２におけるマン・マシンインターフェースであり、具体的には、マウスやキーボード等、使用者が各種指示を入力する時に使用するものである。
【００２２】
表示部１６は、機器制御部１４の状態等を使用者に知らせるためのインターフェースである。
【００２３】
図３はオーディオ装置３のブロック図を示す。このオーディオ装置３は、再生出力部２１と、この再生出力部２１へ出力信号を送出するオーディオ複号化部２２と、オーディオ装置３全体を制御する機器制御Ｉ／Ｆ部２３と、システム全体及びこのオーディオ装置３の制御を行うことが可能な機器制御部２４と、ボリューム調整等を行うマンマシンインターフェース（ＭＭＩ）２５と、無線通信プロトコルを制御する無線通信プロトコルＩ／Ｆ部２６と、無線通信時の物理的インターフェースとなる無線通信Ｉ／Ｆ部２７とから構成される。
【００２４】
再生出力部２１は、音を再生出力するものであり、具体的にはスピーカ等である。オーディオ複合化部２２は、他の無線通信装置より受信したオーディオデータを複合化し、アナログ信号として再生出力部２１へ送出する。
【００２５】
機器制御Ｉ／Ｆ部２３は、システム内の各装置への各種制御メッセージを無線通信プロトコルＩ／Ｆ部２６との間で送受信を行なう。また、受信したメッセージを機器制御部２４へ転送する。
【００２６】
ＭＭＩ２４は、音量調整や複合化に関するパラメータ等の設定の指示を入力することが可能である。
【００２７】
機器制御部２５は、オーディオ装置３全体の制御を行なう。無線通信Ｉ／Ｆ部２７を介して各装置と送受信を行うメッセージの作成・解析・保持と、メッセージに基づきオーディオ複合化部２２、及び再生出力部２１の制御を行う信号を作成する。また、機器制御Ｉ／Ｆ部２３を介して得られたメッセージからシステム全体の構成を把握し、システムを構成する各装置の動作制御を司ることが可能である。また、システムを構成する他機器情報を格納するメモリ（図示せず）も有している。
【００２８】
無線通信プロトコルＩ／Ｆ２６は、全システムを構成する装置と無線通信の際に、通信プロトコルを制御する部分であり、機器制御データ及び各種データを機器制御Ｉ／Ｆ１３と送受信する。また、無線通信により他の装置に制御コマンド等を送出するために、物理層である無線通信Ｉ／Ｆ部１２へ転送する。本実施形態の無線通信で使用する周波数帯域は２．４０〜２．５０ＧＨｚである。
【００２９】
無線通信Ｉ／Ｆ部２７は無線通信時の物理的インターフェース部である。
【００３０】
図４に記憶装置のブロック図を示す。この記憶装置４は、データを記憶する媒体である記憶媒体３１と、記憶装置４からのメッセージ作成などを行う機器制御Ｉ／Ｆ部３２と、システム全体及びこの記憶装置４の制御を行うことが可能な機器制御部３３と、記憶装置４の電源のＯＮ／ＯＦＦ操作を行うマンマシンインターフェース（ＭＭＩ）部３４と、無線通信プロトコルを制御する無線通信プロトコルＩ／Ｆ３５と、無線通信時の物理的インターフェースとなる無線通信Ｉ／Ｆ部３６とから構成される
【００３１】
記憶媒体３１は、データや各種情報を記憶保存するものであり、例えば、ハードディスク等の磁気記憶媒体である。
【００３２】
機器制御Ｉ／Ｆ部３２は、システム内の各装置への各種制御メッセージを無線通信プロトコルＩ／Ｆ部３５との間で送受信を行なう。また、受信したメッセージを機器制御部３３へ転送する。
システム内の各装置と送受信を行なう各種メッセージの作成・解析・保持と、メッセージに基づき記憶媒体３１の制御信号を機器制御部３３に送出する。
【００３３】
機器制御部３３は、機器制御Ｉ／Ｆ部３２を介して得られたメッセージからシステム全体の構成を把握し、各通信装置の制御に関してシステムのトータル的な動作制御を司ることが可能である。また、システムを構成する機器情報を格納するメモリ（図示せず）も有している。また、記憶装置４全体の制御を行う。
【００３４】
無線通信プロトコルＩ／Ｆ３４は、全システムを構成する装置と無線通信の際に、通信プロトコルを制御する部分であり、機器制御データ及び各種データを機器制御Ｉ／Ｆ部３２と送受信する。また、無線通信により他の装置に制御コマンド等を送出するために、物理層である無線通信Ｉ／Ｆ部３６へ転送する。本実施形態の無線通信で使用する周波数帯域は２．４０〜２．５０ＧＨｚである。
【００３５】
無線通信Ｉ／Ｆ部３５は無線通信時の物理的インターフェース部である。
【００３６】
以下、各無線通信装置間での通信例について説明する。
【００３７】
各無線通信装置は、固有のＩＤとその装置の種別に関する情報とを有している。それに加え、各装置がデータの送受信が可能で有る場合は、そのデータ転送に関するデータ転送権の優先度、電源ＯＮ／ＯＦＦ等、装置が有している固有機能の制御に関する機器制御優先度を持っている。これらの優先度は、システム内において装置自装置の制御を行う際の優先度であり、他にこれより優先度が高い装置が制御を所望すれば、優先度の低い装置は優先度の高い装置に制御を委ねることになる。
【００３８】
制御する側の装置は、制御される装置のＩＤと装置種別によって、いつどのように制御するかを判断し、無線通信を介して相互にメッセージのやり取りを行うことによって装置の制御を行う。
【００３９】
図５に通信時の制御メッセージの例を示す。また、図６に装置間で送受信されるデータの典型的な例を示す。
【００４０】
図６に示すように、装置間では、メッセージのタイプ（『Ｍｅｓｓａｇｅ  Ｔｙｐｅ』）と、装置の情報（『Ｄｅｖｉｃｅ  Ｉｎｆｏ』）と、送受信のデータ（『Ｄａｔａ』）が送受信される。装置の情報（『Ｄｅｖｉｃｅ  Ｉｎｆｏ』）としては、固有識別情報（『ＩＤ』）、機器の種別（『ＴＹＰＥ』）、データ送受信の優先度（『ＢＵＳ』）、装置の制御権（『ＣＯＮＴＲＯＬ』）といった内容であり、『Ｌｏｃａｌ  Ｐｒｉｏｒｉｔｙ』は装置自身の優先度の設定である。『Ｍａｓｔｅｒ  Ｐｒｉｏｒｉｔｙ』を『Ｍａｘｉｍｕｍ』にすると、システムを制御する装置に制御権を委ねることになる。
【００４１】
以下、システムの制御例を説明する。
【００４２】
オーディオ装置３と記憶装置４とでシステムを構成する場合を考える。この場合、オーディオ装置３の制御権の優先度が記憶装置４の制御権の優先度より高いものとし、オーディオ再生装置３がシステムの制御権を有している。機器制御部２４は、記憶装置４の制御権も有しており、無線通信Ｉ／Ｆ部２７を介して記憶装置４との間で機器情報やデータを送受信可能である。このことにより、記憶装置４に記憶しているオーディオデータを、オーディオ装置３に転送しオーディオ装置３によって再生可能である。
【００４３】
ここで、新たにオーディオ装置３より制御権の優先度が高いコントローラ装置２が無線通信可能状態になったとする。この時、オーディオ装置３が有していたシステム全体の制御権を、コントローラ装置２が取得し、オーディオ装置３及び記憶装置４はコントローラ装置２の制御下に入る。
【００４４】
図７に、システムに新たな通信装置が追加された場合の情報送受信に関するフローチャートを示す。このフローチャートは装置間の装置情報や制御情報、データ転送権情報に関する権利委譲・取得に関するものである。
【００４５】
新たな通信装置（本例の場合、コントローラ装置２）が、このシステムに追加された時、コントローラ装置２は、システムを構成する全通信装置（オーディオ装置３、記憶装置４）に対して、自装置の情報（ＩＤ、優先度、機種情報）を送信する（ステップＳ１０１）。この情報を受信したシステム内の通信装置は、その情報を元にして自装置の制御権の優先度に関する情報を、コントローラ装置２に送信する。コントローラ装置２は、システム内の通信装置から、各通信装置の情報を受信する（ステップＳ１０２）。コントローラ装置２は、各機器情報を受信した上で、自分より制御権の優先度が高い装置に対しては、データ転送制御、機器制御を委譲するメッセージを送信する（ステップＳ１０３）。ただし、この機器制御権の委譲は行なわないように設定することも可能である。その後、相手装置から委譲完了のメッセージを受信すると（ステップＳ１０４）、機器制御部１４に自装置が制御される装置の情報を記憶する（ステップＳ１０５）。
【００４６】
また、自分より制御権の優先度が低い装置に対しては、データ転送制御、機器制御を取得するメッセージを送信する（ステップＳ１０６）。その後、相手装置から制御権取得完了のメッセージを受信すると（ステップＳ１０７）、機器制御部１４に自装置が制御を行う装置の情報を記憶する（ステップＳ１０８）。
【００４７】
上記のように、装置種別情報や制御情報、データ転送制御権情報に関する権利委譲・取得制御権の委譲が行なわれる。
【００４８】
第２の実施形態について説明する。本実施形態は、システム構成から機器が外れる場合の制御権の移行である。
【００４９】
一度、システムが形成されたあとは、制御される側の通信装置と、制御する側の通信装置とで一定間隔毎に無線通信可能な状態にあるか否か確認し、無線通信が不可能になった場合、それまでに受信して機器制御部に記憶している情報を参照して、無線通信可能な装置のうち、次に制御権の優先度が高い装置が制御権を取得する。
【００５０】
図８に、本実施形態に係る制御権移行のフローチャートを示す。
【００５１】
コントローラ装置２と、記憶装置３と、オーディオ装置４とで構成しているシステムにおいて、コントローラ装置２の制御権の優先度が一番高く、システムの制御権を有している状態であり、コントローラ装置２が使用不可能状態になった場合のシステム制御権の移行について説明する。また、記憶装置４の制御権の優先度が一番低いものとする。
【００５２】
所定時間毎にシステム内の装置の間で、通信可能か否かの確認信号を送受信し、通信可能状態であるかをチェックする（ステップＳ２０１）。通信可能状態である場合は、各装置は発信元の装置に対し、自装置のＩＤとともに通信可能である旨の信号を送信する。発信元の装置はこの信号を受信することによって、他装置が通信可能か否かを判断する。ここでは、オーディオ装置３から、コントロール装置２と記憶装置４に確認信号が送信されたとする。記憶装置４は通信可能状態にあるので、オーディオ装置３に通信可能信号を返信する。しかし、コントロール装置２は通信不可能状態にあるので、なんら信号を返信しない。
【００５３】
オーディオ装置３は、通信可能信号を返信して来ないコントロール装置２に対して、通信不可能状態であると判断し（ステップＳ２０２のＹＥＳ）、機器制御部２４に保持しているコントロール装置２の情報を削除する（ステップＳ２０３）。同時に、機器制御部２４に保存している他機器情報を参照する（ステップＳ２０４）。この場合、システム内の機器は記憶装置４のみであるので、記憶装置４の制御権の優先度情報を参照する。記憶装置４の制御権の優先度はオーディオ装置３の制御権の優先度より低いため、自装置がシステムの制御権を持つと判断する（ステップＳ２０５のＹＥＳ）。
【００５４】
このように、システム内の装置が通信不可能になった場合、それまでに受信して機器制御部に記憶している情報を参照して、システムを制御する装置を変更することが可能である。
【００５５】
次に、第３の実施形態について説明する。本実施形態は、システム内の無線通信装置間でのデータ転送に関してのものである。
【００５６】
図９にデータ転送時のフローチャートを示す。
【００５７】
オーディオ装置３のＭＭＩから再生の指示が入力されると、コントローラ装置２に、再生指示の情報が送信される。コントローラ装置２は、オーディオデータを保持している記憶装置４と、再生のインターフェースとなるオーディオ装置３にそれぞれデータ転送のメッセージを送信する。
【００５８】
記憶装置４はコントローラ装置２から、データ送信を行なう指示を受け取る（ステップＳ３０２）。
【００５９】
オーディオ装置３は、コントローラ装置２から、データ受信を行なう指示を受け取る（ステップＳ３０３）。
【００６０】
記憶装置４自装置がデータ送信を行なえる状態であり（ステップＳ３０４）、オーディオ装置３自装置もデータ受信を行なえる状態にある場合（ステップＳ３０５）、記憶装置４からコントローラ装置２へデータ送信可能である旨のメッセージを送信する（ステップＳ３０６）。また、オーディオ装置３からコントローラ装置２へ、データを受信可能な旨のメッセージを送信する。（ステップＳ３０７）。また、記憶装置４からオーディオ装置３へ、データ転送を行なうメッセージを送信する（ステップＳ３０８）。オーディオ装置３は、記憶装置４からデータ転送する旨のメッセージを受信する（ステップＳ３０９）。オーディオ装置３はデータ受信可能である旨のメッセージを記憶装置４に送信する（ステップＳ３１０）。転送可能の旨のメッセージを受信した記憶装置４は、オーディオ装置３へデータの送信を開始する（ステップＳ３１２）。オーディオ装置３は記憶装置４からのデータを受信する（ステップＳ３１３）。記憶装置４からデータの送信が完了し（ステップＳ３１４）、オーディオ装置３はデータの受信を完了する（ステップＳ３１５）。データの受信を完了したオーディオ装置は、データの転送が完了した旨のメッセージを、コントローラ装置２及び記憶装置４に送信する（ステップＳ３１６）。記憶装置４はデータ転送完了のメッセージを受信してデータ転送のルーチンを終了する。
【００６１】
上記のように装置間でデータ転送が行なわれる。
【００６２】
次に、第４の実施形態について説明する。本実施形態では、データ転送時などに、誤って動作中の機器の電源を落としたりすることがないように、データ転送中はコントローラ装置２が機器制御に関する権利を一時的に取得する例について説明する。
【００６３】
図１０に本実施形態に係るフローチャートを示す。
【００６４】
オーディオ装置３のＭＭＩから再生の指示が入力されると、コントローラ装置２に、再生指示の情報が送信される。コントローラ装置２は、オーディオデータを保持している記憶装置４に機器制御権を要求する旨のメッセージを送信する。
【００６５】
記憶装置４は、機器制御権を要求するメッセージを受信し（ステップＳ４０１）、機器制御をコントローラ装置２に委ねることを確認すると（ステップＳ４０２）、コントローラ装置２に機器制御権を委譲する旨のメッセージを送信する（ステップＳ４０３）。機器制御権委譲のメッセージを受信したコントローラ装置２は、記憶装置４の制御権を得たことになる。
【００６６】
このことにより、コントローラ装置２が記憶装置４の制御を行うことが可能なので、データ送信を行っている際に、ユーザが誤って記憶装置４の電源を落としたりするようなトラブルを防ぐことが可能である。また、データ送信が完了した旨のメッセージを受信すると、機器制御権を記憶装置４に返すようにする。
【００６７】
また、使用者によって優先する機器を設定することも可能である。例えば、、オーディオ装置３をシステムの制御装置とする場合を説明する。
【００６８】
図１１に本実施例のフローチャートを示す。
【００６９】
オーディオ装置３のＭＭＩ２５から、優先度を指定する旨の入力を行なう（ステップＳ５０１）。通知を受けた機器制御部２４は、自装置の情報を更新する（ステップＳ５０２）。機器制御部２４から他装置に対して、自装置の情報を送信する（ステップＳ５０３）。他装置より優先度が高くなった場合は、その装置から制御権を取得し（ステップＳ５０４）、他装置より優先度が低くなった場合は、その装置へ制御権を委譲するメッセージを送信する（ステップＳ５０５）。本例の場合は、オーディオ装置３の優先度を上げるので、これによりシステムの制御権がコントロール装置２からオーディオ装置３に移行し、オーディオ装置３がシステム内の記憶装置４を直接制御することが可能となる。
【００７０】
上述したように、システムの制御を行なう装置を適宜設定することが可能であるため、必要な装置のみでシステムを構成することが可能な通信機器システムを提供することが可能である。
【００７１】
【発明の効果】
以上詳述した発明によれば、システムの制御を行なう装置を適宜設定することが可能であるため、必要な装置のみでシステムを構成することが可能な通信機器システムを提供することが可能である。
【図面の簡単な説明】
【図１】システム構成の概要図。
【図２】コントローラ装置のブロック図。
【図３】オーディオ装置のブロック図。
【図４】記憶装置のブロック図。
【図５】通信時の制御メッセージの例の図。
【図６】送受信されるデータの典型的な例の図。
【図７】通信装置が追加された場合のフローチャート。
【図８】通信装置が削除された場合のフローチャート。
【図９】データ転送に関するフローチャート。
【図１０】機器制御以上のフローチャート。
【図１１】優先度設定のフローチャート。
【符号の説明】
２…コントローラ装置
３…オーディオ装置
４…記憶装置
５…画像表示装置
６…プリンタ
７…無線通信部
８…システム部
１１、２６、３５…無線通信プロトコルＩ／Ｆ部
１２、２７、３６…無線通信Ｉ／Ｆ部
１３、２３、３２…機器制御Ｉ／Ｆ部
１４、２４、３３…機器制御部
１５、２５、３４…ＭＭＩ
１６…表示部
２１…再生出力部
２２…オーディオ複合化部
３１…記憶媒体
【図１】
0003874582.tif 000002
【図２】
0003874582.tif 000003
【図３】
0003874582.tif 000004
【図４】
0003874582.tif 000005
【図５】
0003874582.tif 000006
【図６】
0003874582.tif 000007
【図７】
0003874582.tif 000008
【図８】
0003874582.tif 000009
【図９】
0003874582.tif 000010
【図１０】
0003874582.tif 000011
【図１１】
0003874582.tif 000012